(57)【要約】【課題】部材どうしが擦れることにより発生する粉状物が散乱するのを抑制することができる遊技機を提供する。【解決手段】本発明の遊技機は、壁部８２を有する第一の部材８０と、壁部８２の突出方向先端部に当接する第二の部材７０とを備えている。また、壁部８２の突出方向先端部には、壁部８２の延在方向に沿って凹部８３が形成されている。したがって、部材どうしが擦れることにより発生する粉状物が散乱するのを抑制することができる。【選択図】図８
2019097903.tif 000002
【特許請求の範囲】
【請求項１】
壁部を有する第一の部材と、前記壁部の突出方向先端部に当接する第二の部材とを備える遊技機であって、
前記壁部の前記突出方向先端部には、前記壁部の延在方向に沿って凹部が形成されていることを特徴とする遊技機。
【請求項２】
前記第一の部材または前記第二の部材は、前記壁部の前記突出方向先端部と前記第二の部材とが当接する部分の周辺部が透光性を有することを特徴とする請求項１に記載の遊技機。
【請求項３】
前記壁部の前記突出方向先端部と前記第二の部材とが当接する部分の周辺に、前記第一の部材または前記第二の部材の裏側にある部材を露出させる開口を有することを特徴とする請求項１または２に記載の遊技機。
【発明の詳細な説明】
【技術分野】
【０００１】
本発明は、遊技機に関する。
【背景技術】
【０００２】
スロットマシンやパチンコ遊技機等の遊技機は、複数の部材により構成されており、隣接する部材どうしが互いに当接した状態となっている（例えば、特許文献１における光拡散シートとハウジングや、光拡散シートと前カバー）。また、遊技機は、遊技機を移動させたときや、遊技者が遊技機を操作したときや、遊技機の扉を開いたときや、可動役物を動かしたときなどに、遊技機全体あるいは遊技機の一部が振動することがある。そして、遊技機の全体や一部が振動した際に、当接する部材どうしが擦れることがある。
【先行技術文献】
【特許文献】
【０００３】
【特許文献１】特開２０１１−８３９４５号公報
【発明の概要】
【発明が解決しようとする課題】
【０００４】
ところで、部材どうしが擦れると、部材が削れて粉状物が発生することがあるが、このような粉状物が散乱してしまうと、遊技機の見栄えが悪くなってしまったり、遊技機の動作に不具合が生じてしまったりするおそれがあった。
【０００５】
本発明は、前記事情に鑑みてなされたもので、部材どうしが擦れることにより発生する粉状物が散乱するのを抑制できる遊技機を提供することを目的とする。
【課題を解決するための手段】
【０００６】
前記目的を達成するために、本発明の遊技機は、壁部を有する第一の部材と、前記壁部の突出方向先端部に当接する第二の部材とを備える遊技機であって、前記壁部の前記突出方向先端部には、前記壁部の延在方向に沿って凹部が形成されていることを特徴とする遊技機。
【０００７】
本発明においては、第一の部材の壁部と第二の部材とが擦れることにより粉状物が発生した場合であっても、この粉状物を凹部に収容できるので、粉状物が予期せぬ部分に散乱するのを抑制できる。
【０００８】
また、本発明の前記構成において、前記第一の部材または前記第二の部材は、前記壁部の前記突出方向先端部と前記第二の部材とが当接する部分の周辺部が透光性を有することが好ましい。
【０００９】
第一の部材または第二の部材の、壁部と第二の部材とが当接する部分の周辺部が透光性を有する場合、従来であれば、壁部と第二の部材とが擦れることにより発生した粉状物が、透光性を有する部分から見えてしまい、遊技機の見栄えが悪くなってしまうおそれがある。しかし、本構成によれば、粉状物を凹部に収容できるので、粉状物が予期せぬ部分に散乱するのを抑制できる。また、余計な部材を追加することなく粉状物の散乱が抑制できるので、遊技機の外観を損ねることなく、粉状物の散乱が抑制できる。
【００１０】
また、本発明の前記構成において、前記壁部の前記突出方向先端部と前記第二の部材とが当接する部分の周辺に、前記第一の部材または前記第二の部材の裏側にある部材を露出させる開口を有することが好ましい。
【００１１】
壁部と第二の部材とが当接する部分の周辺に、裏側にある部材を露出させる開口を有する場合、従来であれば、壁部と第二の部材とが擦れることにより発生した粉状物が、当該開口側に散乱してしまうおそれがある。そうすると、例えば、当該開口が遊技者から視認される部分であった場合、遊技者の視界を遮ったり見栄えが悪くなったりしてしまうおそれがある。また、当該開口が遊技者から視認される部分でない場合でも、当該開口を通して行う作業に支障が出たり、当該開口を通して粉状物が各所に散らばってしまい予期せぬ不具合の原因となったりしてしまうおそれがある。しかし、本構成によれば、粉状物を凹部に収容できるので、粉状物が予期せぬ部分に散乱するのを抑制できる。また、余計な部材を追加することなく粉状物の散乱が抑制できるので、開口を余計な部材によって塞いでしまったりすることなく、粉状物の散乱が抑制できる。
【発明の効果】
【００１２】
本発明の遊技機によれば、部材どうしが擦れることにより発生する粉状物が散乱するのを抑制できる。
【図面の簡単な説明】
【００１３】
【図１】本発明の実施の形態に係る遊技機の一例を示すもので、その斜視図である。
【図２】同、上扉を示す分解斜視図である。
【図３】同、画像表示装置を示す分解斜視図である。
【図４】同、液晶ケースを示すもので、前側から見た斜視図である。
【図５】同、画像表示装置を示すもので、上側から見た要部の拡大断面斜視図である。
【図６】同、キャビネットベースを示すもので、後側から見た斜視図である。
【図７】同、キャビネットベースを示すもので、上側から見た要部の拡大断面斜視図である。
【図８】同、画像表示装置をキャビネットベースに取り付けた状態を示すもので、右側から見た要部の拡大断面図である。
【図９】同、可動部材を示す分解斜視図である。
【図１０】同、右側の可動部材を示すもので、上側から見た断面斜視図である。
【図１１】同、照明装置を示す分解斜視図である。
【図１２】同、照明装置を示すもので、右側から見た要部の拡大断面図である。
【図１３】同、装飾部を示すもので、上側から見た要部の拡大断面斜視図である。
【発明を実施するための形態】
【００１４】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１６】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１７】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶パネルを有する画像表示装置１００（ディスプレイ。図２参照。）の表示面１１２を見える状態で保護するために設けられたものであり、この画像表示装置１００では、その表示面１１２に遊技機における演出用の画像が表示されるようになっている。なお、画像表示装置１００は、演出用の画像を表示できるものであれば、液晶ディスプレイ以外のディスプレイであってもよい。なお、表示窓３１は、後述するキャビネットベース８０に固定されており、表示窓３２は、後述する意匠ユニット４００に固定されている。
また、上扉３０の表示窓３１と表示窓３２との間には、遊技機の外観を装飾するための装飾部６０が設けられている。また、上扉３０の表示窓３２の上部および左右両側部には、報知や演出などを行うための照明装置３３ａ，３３ｂが設けられている。
【００１８】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１９】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２０】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２１】
また、上扉３０の下部であって、表示窓３１の右側には、演出ボタン５９が設けられている。この演出ボタン５９は、遊技者によって押下操作されるものであり、所定のタイミングで押下されることで例えば画像表示装置１００に表示される演出用の画像の態様を変化させ、遊技者に対して遊技への参加意識を高めるとともに、興趣を高めるようにしたものである。
【００２２】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うための照明装置３３ｄが設けられている。
【００２３】
図２に示すように、上扉３０は、キャビネットベース８０（ベース部材）と、このキャビネットベース８０の背面側に固定される画像表示装置１００と、画像表示装置１００の前面側に配置される保護シート７０と、キャビネットベース８０の背面側を縁取るように当該背面側に固定される枠状のバリアユニット７５と、キャビネットベース８０の前面側に固定される可動役物ユニット１５０と、この可動役物ユニット１５０を前側から覆うようにしてキャビネットベース８０の前面側に固定される意匠ユニット４００と、を備えている。
【００２４】
バリアユニット７５は、金属製の枠体であり、筐体１（交換ユニット）と上扉３０とを連結する前記ヒンジは、このバリアユニット７５に固定されている。そして、バリアユニット７５によって、キャビネットベース８０が補強されているととともに、上扉３０の重み等により筐体１と上扉３０との連結部が壊れないようにされている。
【００２５】
画像表示装置１００は、図３に示すように、液晶モジュール１０１（画像表示装置本体）と、液晶ケース１０２と、枠体１０３と、を備えている。
液晶モジュール１０１は、略長方形板状となっており、略長方形板状の液晶パネル１１０と、この液晶パネル１１０を支持する略長方形枠状のベゼル部１１１と、を備えている。
【００２６】
液晶パネル１１０は、正面視略長方形の表示面１１２を備えている。そして、液晶モジュール１０１は、図示しない副制御基板から送られる制御信号を受けて、演出用の画像を表示面１１２に表示する。なお、副制御基板とは、表示や音声や照明による演出を制御する基板をいう。また、画像表示装置１００と副制御基板とは、一体的に設けられていてもよい。
【００２７】
ベゼル部１１１は、正面視において、表示面１１２の周りを囲った状態となっており、液晶パネル１１０と一体化されている。また、ベゼル部１１１の前面１１３は、表示面１１２よりも前方に位置している。また、ベゼル部１１１には、左右の側面それぞれに、２つのネジ孔１１６が上下に離間して設けられている。
【００２８】
液晶モジュール１０１は、図５に示すように、その背面に、液晶モジュール１０１を管理するための管理コード１１８を有している。ここで、管理コード１１８は、液晶モジュール１０１の製造元や製品名や製造日時あるいはロットナンバー等の液晶モジュール１０１に関する情報を有するコードであり、例えば、バーコードや二次元コード等となっている。また、管理コード１１８は、シール１１９に印刷されており、このシール１１９が液晶モジュール１０１の背面に貼られることで、管理コード１１８が液晶モジュール１０１に付されている。なお、管理コード１１８の有する情報は、専用の端末を用いることで読み取ることが可能となっている。また、管理コード１１８の有する情報は、液晶モジュール１０１に関する情報でなくてもよく、スロットマシンＭに関する情報（スロットマシンＭの構成部品に関する情報を含む）であればよい。
【００２９】
液晶ケース１０２は、図４に示すように、背面板１２０と、この背面板１２０の周縁に沿って形成され、背面板１２０から前方に突出する環状壁部１２１とを備えている。そして、液晶ケース１０２は、背面板１２０と環状壁部１２１とにより、前側が開口した、上下左右の幅に対して厚みが薄い箱状となっている。また、液晶ケース１０２は、透光性を有しない黒色の合成樹脂により一体的に成形されている。
【００３０】
背面板１２０には、右上部分に開口（第一開口１２２）が設けられている。また、第一開口１２２の左右の縁それぞれに沿って、前方に突出する側壁部１２３，１２３が形成されている。また、側壁部１２３，１２３の下端部は、第一開口１２２の下縁よりも下側に延出している。また、側壁部１２３，１２３の下端部どうしを繋ぐようにして、下壁部１２４が形成されている。また、側壁部１２３，１２３の上端部どうしを繋ぐようにして、上壁部１２５が形成されている。また、上壁部１２５の背面板１２０側の部分は、第一開口１２２の上縁に接続されている。
【００３１】
側壁部１２３，１２３および下壁部１２４は、背面板１２０に対して、直角に前方に突出するように形成されている。また、上壁部１２５は、背面板１２０に直角な方向に対して傾斜して形成されており、前側ほど下側に向かうように傾斜している。また、側壁部１２３，１２３、下壁部１２４および上壁部１２５の前端面は面一となっている。
【００３２】
側壁部１２３，１２３、下壁部１２４および上壁部１２５の突出方向先端部（前端面）は、図５に示すように、液晶モジュール１０１に当接している。また、具体的には、左側の側壁部１２３の突出方向先端部（前端面）は、シール１１９に当接している。また、側壁部１２３，１２３、下壁部１２４および上壁部１２５は、管理コード１１８を囲うように配置されている。そして、第一開口１２２を介して管理コード１１８が後方に露出しており、第一開口１２２から管理コード１１８の視認や読み取りが可能となっている。換言すると、第一開口１２２は、液晶ケース１０２の裏側にある管理コード１１８を、液晶ケース１０２の外側から見えるように露出させる開口となっている。
【００３３】
すなわち、液晶ケース１０２の右上部分には、第一開口１２２、側壁部１２３，１２３、下壁部１２４および上壁部１２５を有するコード表示部が設けられており、当該コード表示部から管理コード１１８の視認および読み取りが可能となっている。また、コード表示部においては、側壁部１２３，１２３、下壁部１２４および上壁部１２５に囲われた空間が形成されており、当該空間があることにより、第一開口１２２と管理コード１１８とが前後方向に離れて配置されている。このため、管理コード１１８の真後ろに第一開口１２２を設けることなく、第一開口１２２から管理コード１１８の視認および読み取りが可能となり、第一開口１２２を管理コード１１８の位置に関わらずある程度自由に配置することが可能となっている。また、第一開口１２２と管理コード１１８とが離れて配置されることにより、液晶モジュール１０１と液晶ケース１０２との間に形成されてしまう隙間が、側壁部１２３，１２３、下壁部１２４および上壁部１２５に埋められるので、当該隙間から液晶モジュール１０１と液晶ケース１０２との間にネジ等の異物が侵入するのを防ぐことができる。また、上壁部１２５が傾斜面となっていることにより、コード表示部内にネジ等の異物が入った際に、当該ネジ等を上壁部１２５上に転がして容易に除去することができる。
【００３４】
なお、コード表示部（第一開口１２２）は、管理コード１１８の全体が視認できるようになっていなくてもよい。すなわち、本実施の形態においては、管理コード１１８はバーコードであり、コード表示部を通じてバーコードの全体が視認できるようになっているが、バーコードの一部が液晶ケース１０２に隠され、視認できないようになっていてもよい。また、シール１１９には、管理コード１１８の他に、表示装置本体１０１の製造元や製品名や製造日時やロットナンバーやリユースのための管理情報等を含む文字列からなる関連情報も表示されていてもよい。そして、当該関連情報の全体または一部も、管理コード１１８の全体または一部とともにコード表示部を通じて視認できるようになっていてもよい。
また、コード表示部（第一開口１２２）は、管理コード１１８や、上記関連情報の視認性を確保する機能以外の他の機能を更に有してもよい。そのような他の機能としては、例えば、液晶モジュール１０１に電気的に接続される配線を挿通するための開口としての機能を挙げることができる。すなわち、液晶モジュール１０１に接続された配線が第一開口１２２を通じて液晶ケース１０２の外側に出ていてもよい。
【００３５】
図５は、画像表示装置１００の、コード表示部部分を拡大して、上側から見た断面斜視図である。図５に示すように、側壁部１２３，１２３の突出方向先端部の第一開口１２２側には、側壁部１２３の延在方向に沿って、凹部１２６，１２６（段部）が形成されている。換言すると、側壁部１２３は、突出方向先端部の、管理コード１１８側が、第一開口１２２に沿って断面略矩形状に切り欠かれた形状となっている。また、側壁部１２３の凹部１２６は、液晶モジュール１０１（シール１１９）に当接しておらず、離れた状態となっている。
なお、凹部１２６は、側壁部１２３の突出方向先端部の第一開口１２２と離れた側に形成されていてもよく、第一開口１２２側と第一開口１２２から離れた側との両方に形成されていてもよい。また、凹部１２６は、下壁部１２４や上壁部１２５に形成されていてもよい。
【００３６】
液晶ケース１０２の環状壁部１２１の上辺部には、図４に示すように、外側（上側）に突出する２つの突出部が左右に離間して設けられており、それぞれの突出部の内側に凹所１２１ａ，１２１ａが形成されている。また、環状壁部１２１の下辺部にも、外側（下側）に突出する２つの突出部が、左右に離間して設けられており、それぞれの突出部の内側に凹所１２１ｂ，１２１ｂが形成されている。また、これら４つの各凹所１２１ａ，１２１ｂには、背面板１２０から前方に向けて突出するボス１２７が設けられている。
また、環状壁部１２１の左辺部および右辺部それぞれには、２つのネジ挿通孔１２１ｃ，１２１ｃが上下に離間して設けられている。
【００３７】
また、環状壁部１２１の上辺部には、外側（上側）に突出するようにして、ネジ挿通孔を有する２つの表示装置取付部１２８が、左右に離間して設けられている。また、環状壁部１２１の下辺部にも、外側（下側）に突出するようにして、ネジ挿通孔を有する２つの表示装置取付部１２８が、左右に離間して設けられている。
【００３８】
枠体１０３は、図３に示すように、中心部が画像表示装置１００の表示面１１２とほぼ同じ大きさに開口した長方形板状の枠本体１３０を備えている。また、枠本体１３０を構成する上下左右の各板状部１３０ａ，１３０ｂ，１３０ｃ，１３０ｄの幅は、ベゼル部１１１の前面１１３を構成する各面１１３ａ，１１３ｂ，１１３ｃ，１１３ｄの幅よりも広くなっている。
また、枠本体１３０の上側の板状部１３０ａは、一部が上側に向けて突出しており、これにより２つの突出部１３０ｅが左右に離間して形成されている。また、枠本体１３０の下側の板状部１３０ｂも、一部が下側に向けて突出しており、これにより２つの突出部１３０ｆが左右に離間して形成されている。また、これら４つの各突出部１３０ｅ，１３０ｆには、ネジ挿通孔が設けられている。
【００３９】
また、枠本体１３０には、前方に突出する壁部である枠体壁部１３１が枠本体１３０の外周を囲うようにして設けられている。また、枠体壁部１３１は、枠本体１３０の略全周にわたり設けられているが、突出部１３０ｅの上縁および突出部１３０ｆの下縁には設けられていない。また、枠本体１３０と枠体壁部１３１とは、透光性を有しない黒色の合成樹脂により一体的に成形されている。
【００４０】
保護シート７０は、図２に示すように、略長方形板状（薄膜状）の保護シート本体７１と、４つの保護シート取付部７２とを備えている。また、保護シート取付部７２は、保護シート本体７１の上縁と下縁とに、それぞれ２つずつ、当該上縁または下縁から外側に突出するようにして設けられている。また、保護シート取付部７２には、ネジ挿通孔が設けられている。
保護シート本体７１と、４つの保護シート取付部７２とは、合成樹脂（例えば、ポリカーボネート）により一体的に成形されており、保護シート取付部７２を含めた全体が厚さ約１ｍｍの略長方形板状（薄膜状）となっている。このため、保護シート取付部７２は可撓性を有し、外力によってたわむようになっている。また、保護シート７０は、透明で透光性を有する。
【００４１】
液晶モジュール１０１と、液晶ケース１０２と、枠体１０３と、保護シート７０とはネジ止めにより一体化されている。
具体的には、液晶モジュール１０１は、その背面の一部を液晶ケース１０２に当接させた状態で、液晶ケース１０２の環状壁部１２１に設けられた４つのネジ挿通孔１２１ｃそれぞれに挿通されたネジが、液晶モジュール１０１の側面に設けられた４つのネジ孔１１６にねじ込まれることで、液晶ケース１０２に固定されている。
また、液晶ケース１０２と液晶モジュール１０１と枠体１０３と保護シート７０とは、後方から、液晶ケース１０２、液晶モジュール１０１、枠体１０３、保護シート７０の順に並べられた状態で、保護シート７０の保護シート取付部７２のネジ挿通孔および枠体１０３の突出部１３０ｅ，１３０ｆのネジ挿通孔に挿通されたネジが、液晶ケース１０２のボス１２７に設けられたネジ孔にねじ込まれることで、互いに固定されている。ここで、枠体１０３の突出部１３０ｅ，１３０ｆおよび保護シート７０の保護シート取付部７２は、液晶ケース１０２の凹所１２１ａ，１２１ｂに挿入された状態となっている。
【００４２】
また、枠本体１３０の背面は、ベゼル部１１１の前面１１３に当接している。そして、ベゼル部１１１は、枠本体１３０に前面１１３が覆い隠され、正面視において、ベゼル部１１１が見えないようにされている。一方、液晶モジュール１０１の表示面１１２の前方には、枠本体１３０の開口１３０ｈが配置されており、この開口１３０ｈから表示面１１２が見えるようになっている。また、枠本体１３０の前面１３２は、表示面１１２よりも前方に位置しており、表示面１１２よりも前方に向けて突出した突出面となっている。
また、枠本体１３０の前面１３２は、保護シート７０の背面に当接している。そして、表示面１１２と、保護シート７０との間には所定の間隔が形成されている。
【００４３】
また、液晶モジュール１０１（ベゼル部１１１）の外側面および枠体１０３（枠体壁部１３１）の外側面は、液晶ケース１０２の内側面と近接または当接した状態となっている。また、保護シート７０の側端面と、枠体１０３の枠体壁部１３１の内側面とは、近接または当接した状態となっている。
すなわち、液晶モジュール１０１と液晶ケース１０２と枠体１０３と保護シート７０とは、液晶モジュール１０１と枠体１０３とが、液晶ケース１０２の内側に収容され、保護シート７０が枠体１０３の枠体壁部１３１に囲われた領域に収容された状態で、一体化されている。
ここで、枠体１０３の枠体壁部１３１の前端面および液晶ケース１０２の環状壁部１２１の前端面は、保護シート７０よりも前方に突出している。すなわち、枠体壁部１３１および環状壁部１２１は、両方とも保護シート７０を囲う環状壁部となっている。また、枠体壁部１３１の前端面と環状壁部１２１の前端面とは、略面一となっているか、または、環状壁部１２１の前端面が枠体壁部１３１の前端面よりもわずかに前方に突出している。
【００４４】
キャビネットベース８０は、図６に示すように、正面視において略長方形の枠体であり透光性を有しない黒色の合成樹脂により一体的に成形されている。また、キャビネットベース８０の上部中央には、キャビネットベース８０の裏側にある保護シート７０および画像表示装置１００の表示面１１２を遊技者から見えるように露出させるための長方形の開口（第二開口８１）が設けられている。なお、キャビネットベース８０の下部中央には、キャビネットベース８０の裏側にある前記回転リールを遊技者から見えるように露出させるための長方形の開口が設けられており、この開口には、表示窓３１が設けられている。また、表示窓３１は、正面視において長方形の板状となっており、透明の合成樹脂により成形されている。
【００４５】
また、キャビネットベース８０の背面８０ｂであって第二開口８１の周縁部８１ｓには、後方へ突出する壁部である第二開口壁部８２が、第二開口８１の周縁全体を囲うようにして設けられている。つまり、第二開口壁部８２は、第二開口８１の上下左右の縁それぞれに沿って設けられた上下左右の壁部８２ａ，８２ｂ，８２ｃ，８２ｄによって構成されており、背面視において、略矩形環状となっている。
【００４６】
第二開口壁部８２の断面形状を図７に示す。なお、図７は、第二開口壁部８２を構成する右側の壁部８２ｄを上側から見た要部の拡大断面斜視図であり、図７において、左側に第二開口８１があり、奥側に第二開口壁部８２の下側の壁部８２ｂがある（図６参照）。
第二開口壁部８２には、突出方向先端部（後端部）の第二開口８１側に、第二開口壁部８２の延在方向に沿って凹部８３が形成されている。換言すると、第二開口壁部８２の内側部には、第二開口壁部８２の突出方向に対して略垂直な平面部８４が設けられており、この平面部８４は、キャビネットベース８０の背面８０ｂ（第二開口８１）からの高さが、第二開口壁部８２の頂部（突出方向先端）よりも低くなっている。さらに換言すると、第二開口壁部８２は、突出方向先端部の、第二開口８１側が、第二開口８１に沿って断面略矩形状に切り欠かれた形状となっている。また、凹部８３は、深さ方向（第二開口壁部８２の突出方向。図７における上下方向、図８における左右方向）の長さよりも、幅方向（第二開口壁部８２の幅方向（厚さ方向）。図７における左右方向、図８における上下方向）の長さの方が長くなっている。
なお、平面部８４は、第二開口８１側ほど後方に向かうように（あるいは第二開口８１側ほど前方に向かうように）、第二開口壁部８２の突出方向に垂直な方向に対して傾斜していてもよい。また、平面部８４の第二開口８１側の部分に、第二開口壁部８２の突出方向と平行な方向に突出する突条などが設けられていてもよい。また、凹部８３は、第二開口壁部８２の突出方向先端部の第二開口８１と離れた側に形成されていてもよく、第二開口８１側と第二開口８１から離れた側との両方に形成されていてもよい。
【００４７】
また、第二開口壁部８２の上下左右の壁部８２ａ，８２ｂ，８２ｃ，８２ｄの平面部８４は互いに面一となっており、後方視において略矩形環状の平面が形成されている。また、壁部８２ａ，８２ｂ，８２ｃ，８２ｄの頂部は互いに面一となっている。
また、第二開口壁部８２の突出方向先端部の第二開口８１と離れた側は、当該先端部の頂部からキャビネットベースの背面８０ｂに向かう滑らかな曲面８９になっている。
【００４８】
キャビネットベース背面８０ｂは、図６に示すように、第二開口８１の略上半分の周囲が前方に向けて凹んでおり、これにより、画像表示装置１００が挿入される表示装置挿入部８５が形成されている。また、表示装置挿入部８５の上側には、後方に突出する２つのボス８６が左右に離間して設けられている。また、第二開口８１の下側にも、後方に突出する２つのボス８６が左右に離間して設けられている。
【００４９】
画像表示装置１００は、その上部の前端部が表示装置挿入部８５に挿入されることで、キャビネットベース８０に対して位置決めがなされている。また、画像表示装置１００は、表示装置取付部１２８のネジ挿通孔に挿通されたネジが、キャビネットベース８０のボス８６に設けられたネジ孔にねじ込まれることで、キャビネットベース８０に固定されている。
【００５０】
図８に、画像表示装置１００をキャビネットベース８０に取り付けた状態を示す。なお、図８は、キャビネットベース８０の上側の壁部８２ａ付近を右側から見た拡大断面図である。
キャビネットベース８０の第二開口壁部８２の突出方向先端部（後端部）は、図８に示すように、画像表示装置１００に取り付けられた保護シート７０の前面に当接している。すなわち、保護シート７０は背面が画像表示装置１００の枠体１０３に押さえられるとともに、前面がキャビネットベース８０の第二開口壁部８２に押さえられることで、これらによって、挟持されている。ここで、前述のように上下左右の壁部８２ａ，８２ｂ，８２ｃ，８２ｄの頂部は面一となっているため、これらの頂部全体が保護シート７０に当接している。したがって、第二開口壁部８２と保護シート７０との当接部は略矩形環状をなしており、第二開口壁部８２は、保護シート７０の、表示面１１２を透過させて表示させる部分を略矩形環状に囲うようにして、保護シート７０を前面側から押さえつけている。換言すると、保護シート７０は、第二開口８１を内側から（後側から）塞ぐようにして設けられている。また、第二開口壁部８２の凹部８３は、保護シート７０に当接しておらず離れた状態となっている。
また、第二開口壁部８２の外側面は、枠体１０３の枠体壁部１３１および液晶ケース１０２の環状壁部１２１に覆われた状態となっている。
また、枠体１０３の枠体壁部１３１および液晶ケース１０２の環状壁部１２１の前端部は、キャビネットベース８０に近接しているが当接はしていない。すなわち、枠体壁部１３１および環状壁部１２１の保護シート７０からの高さよりも、第二開口壁部８２のキャビネットベース背面８０ｂからの高さの方が高くなっている。したがって、第二開口壁部８２によって、保護シート７０を前面側からしっかりと押さえることができる。なお、第二開口壁部８２によって保護シート７０を押さえることができれば、枠体１０３の枠体壁部１３１または液晶ケース１０２の環状壁部１２１の前端部が、キャビネットベース８０に当接していてもよい。
【００５１】
このように、本実施の形態によれば、可撓性を有する保護シート７０は、画像表示装置１００の枠体１０３の前面１３２とキャビネットベース８０の第二開口壁部８２とによって挟持されているので、保護シート７０が表示面１１２側や第二開口８１側にたわむのを抑制することができる。また、前方への保護シート７０のたわみを、画像表示装置１００が取り付けられるキャビネットベース８０の第二開口８１の周辺に形成された第二開口壁部８２によって抑制しているため、キャビネットベース８０と保護シート７０との間に余計な部材を挟む必要が無く、製造コストを削減することができるとともに、遊技機全体の奥行方向の厚みを薄くすることができる。
また、キャビネットベース８０から突出する第二開口壁部８２が保護シート７０に当接していることにより、キャビネットベース８０の後側に配置される部材が遊技者の視界に入るのを防止することができる。
なお、第二開口壁部８２は、保護シート７０のたわみを抑制するためにはキャビネットベース８０の背面８０ｂであって第二開口８１の周縁部８１ｓに第二開口８１に沿って設けられていればよく、背面視において略矩形環状となっていなくてもよい。すなわち、例えば、環状の一部が途切れていてもよく、第二開口８１のいずれかの辺のみに沿って設けられていてもよい。また、第二開口壁部８２は、第二開口８１の対向する辺の両方の縁部に設けられている方が保護シート７０のたわみを抑制する効果が高いため好ましく、例えば、第二開口壁部８２は、上側の壁部８２ａと下側の壁部８２ｂとの両方を備えているか、左側の壁部８２ｃと右側の壁部８２ｄとの両方を備えているのが好ましい。
【００５２】
また、枠体１０３の前面１３２は、表示面１１２よりも前方に向けて突出した突出面となっているので、前面１３２に当接している保護シート７０は、表示面１１２から浮いた状態となっている。したがって、保護シート７０が表示面１１２に当たりニュートンリングが発生したりするのを防ぐことができる。
【００５３】
次に、可動役物ユニットについて説明する。可動役物ユニット１５０は、図２に示すように、駆動機構１５１と、２つの可動部材１５２（シャッター部材）と、を備えており、この２つの可動部材１５２が、駆動機構１５１の有するモータの力によって、画像表示装置１００の前で左右に動くようになっている。そして、２つの可動部材１５２は、互いに当接した閉状態と、互いに離れた開状態との間で移動し、画像表示装置１００に表示される画像とともに遊技を演出するようになっている。
【００５４】
可動部材１５２は、図９に示すように、照明基板２００（電子基板）と、この照明基板２００の前面側に配置される前ケース２０１と、照明基板２００の背面側に配置される後ケース２０２と、を備えている。
なお、左側の可動部材１５２と右側の可動部材１５２とは、ほぼ同様の構成となっており、その形状はほぼ左右対称となっている。したがって、以下では、右側の可動部材１５２について説明し、左側の可動部材１５２については、その説明を省略する。
【００５５】
照明基板２００は、図９に示すように、上下に長尺な板状となっている。また、照明基板２００の前面には、複数のＬＥＤ２１１（光源）が設けられている。また、照明基板２００の前面および背面には、ＬＥＤ２１１以外にも図示しない複数の電子部品（例えば、抵抗、コンデンサ、集積回路等）が設けられている。そして、ＬＥＤ２１１を含むこれらの電子部品は、照明基板２００の表面に形成された配線パターンにより繋がれている。また、背面２１０ｂの上端部には、配線が接続されるコネクタが設けられており、このコネクタに接続された配線を通じて送られる信号および電気によって、ＬＥＤ２１１が光るようになっている。
【００５６】
照明基板２００は、略長方形の板の一方の側部を切り欠いたような形状をしている。具体的には、照明基板２００には、左側の側端面（もう一方の可動部材１５２を向く端面）側を円弧状に切り欠いた円弧状切欠部２１５が上下に並べて３つ設けられている。また、右側の側端面（もう一方の可動部材１５２と離れた側の端面）は、上下に真っ直ぐな面となっている。
また、照明基板２００には、上下に離間して、ボスを挿通させるためのボス挿通孔２１７が２つ設けられている。
【００５７】
前ケース２０１は、その上端部に、可動部材１５２を吊り下げるようにして支持する支持部２２０を備えている。また、支持部２２０の下端部には、遊技機の外観を装飾する装飾部２２１が一体的に設けられている。そして、可動部材１５２は、支持部２２０が駆動機構１５１に取り付けられ、支持部２２０に駆動機構１５１からの力が加えられることにより、左右に動くようになっている。なお、可動部材１５２の下部には、図示しないローラが設けられており、当該ローラがレール上を転がることで、可動部材１５２の下部が揺れることなく、可動部材１５２が左右に動くようになっている。
【００５８】
装飾部２２１は、透光性を有する透明な合成樹脂により形成されており、ＬＥＤ２１１からの光によって光るレンズ部材となっている。また、装飾部２２１の表面の一部には、蒸着により金属の薄膜が形成されている。そして、装飾部２２１はその立体的形状によって遊技機の外観を装飾するとともに、ＬＥＤ２１１からの光によって光るようになっている。
【００５９】
また、装飾部２２１は、図９および図１０に示すように、前板２３０と、前板２３０の左側の縁部（もう一方の可動部材１５２側の縁部）から後方に向けて突出する内側壁部２３１と、前板２３０の右側の縁部（もう一方の可動部材１５２と離れた側の縁部）から後方に向けて突出する外側壁部２３２と、を備えている。また、装飾部２２１は、正面視において、照明基板２００と同様の外形であって、照明基板２００よりも若干大きい形状となっている。
【００６０】
また、装飾部２２１の外側壁部２３２の突出方向先端部には、その内側面側に、外側壁部２３２の延在方向に沿って凹部２４０（段部）が形成されている。換言すると、外側壁部２３２は、突出方向先端部の内側面側が、上下方向に切り欠かれた形状となっている。
また、内側壁部２３１は、前板２３０からの高さが外側壁部２３２よりも高くなっている。また、前板２３０には、後方に突出する複数の突出部２３９が、内側壁部２３１または外側壁部２３２に隣接して設けられている。また、これら複数の突出部２３９の後端面と、外側壁部２３２の頂部（突出方向先端）とは面一となっている。
なお、凹部１４０は、外側壁部２３２の突出方向先端部の外側面側に形成されていてもよく、内側面側と外側面側との両方に形成されていてもよい。
【００６１】
また、後ケース２０２は、透光性を有しない白色の合成樹脂により形成されており、背面視において、照明基板２００と同様の外形であって、照明基板２００よりも若干小さい（横幅の狭い）形状となっている。後ケース２０２は、背板２５０と、背板２５０の左側の縁部（もう一方の可動部材１５２側の縁部）から前方に向けて突出する内側壁部２５１と、背板２５０の右側の縁部（もう一方の可動部材１５２と離れた側の縁部）から前方に向けて突出する外側壁部２５２と、を備えている。また、内側壁部２５１は、背板２５０に対して直角に設けられており、外側壁部２５２は、前側ほど外側に向かうように背板２５０に直角な方向に対して傾斜して設けられている。
【００６２】
また、後ケース２０２の内側壁部２５１の突出方向先端部には、その内側面側に、内側壁部２５１の延在方向に沿って凹部２６０（段部）が形成されている。また、外側壁部２５２の突出方向先端部には、その内側面側に、外側壁部２５２の延在方向に沿って凹部２６１（段部）が形成されている。また、内側壁部２５１の前端面（突出方向先端部）と外側壁部２５２の前端面（突出方向先端部）とは、面一となっている。
なお、凹部２６０は、内側壁部２５１または外側壁部２５２の突出方向先端部の外側面側に形成されていてもよく、内側面側と外側面との両方に形成されていてもよい。
【００６３】
照明基板２００と前ケース２０１と後ケース２０２とは、照明基板２００に挿通された前ケース２０１のボス（図示せず）に、後ケース２０２に挿通されたネジがねじ込まれることにより、一体化されている。また、前ケース２０１は、その前板２３０が照明基板２００の前面を覆った状態となっている。また、前ケース２０１の内側壁部２３１は、照明基板２００の左端面を覆った状態となっている。また、後ケース２０２は、その背板２５０が照明基板２００の背面を覆った状態となっている。また、照明基板２００の背面の右端部は、上下方向全域が後ケース２０２に覆われておらず、可動部材１５２の外側に露出した露出域２７０となっている。
【００６４】
また、前ケース２０１は、突出部２３９の後端面および外側壁部２３２の突出方向先端部（後端面）が、照明基板２００の前面と当接している。また、外側壁部２３２の凹部２４０は、照明基板２００に当接していない。また、後ケース２０２は、内側壁部２５１の突出方向先端部（前端面）および外側壁部２５２の突出方向先端部（前端面）が、照明基板２００の背面と当接している。また、内側壁部２５１の凹部２６０および外側壁部２５２の凹部２６１は、照明基板２００に当接していない。
【００６５】
照明基板２００に実装されたＬＥＤ２１１を含む電子部品および照明基板２００の配線パターンは、前ケース２０１または後ケース２０２に覆われた部分に配置されており、前ケース２０１または後ケース２０２と当接する部分および露出域２７０には配置されていない。
【００６６】
また、後ケース２０２の内側壁部２５１は、前ケース２０１の内側壁部２３１よりも左右方向内側に配置されているとともに、後ケース２０２の外側壁部２５２は、前ケース２０１の外側壁部２３２よりも左右方向内側に配置されている。すなわち、後ケース２０２の内側壁部２５１と前ケース２０１の内側壁部２３１とは、左右方向において互いにずれた位置に配置されている。また、後ケース２０２の外側壁部２５２と前ケース２０１の外側壁部２３２とは、左右方向において互いにずれた位置に配置されている。
【００６７】
次に、照明装置３３ａについて説明する。照明装置３３ａは、図２に示すように、意匠ユニット４００の上辺部に設けられている（図１参照）。また、照明装置３３ａは、図１１に示すように、ベース部材４０１と、複数のＬＥＤ４０９を備える照明基板４０２と、３つのレンズ部材４０３，４０４，４０５と、ロゴレンズ部材４０６と、を備えている。そして、レンズ部材４０３〜４０５とロゴレンズ部材４０６とは、照明基板４０２のＬＥＤ４０９からの光によって光るようになっている。また、ロゴレンズ部材４０６は、機種名等を表すようになっており、ベース部材４０１にネジ止めされて固定されている。
【００６８】
レンズ部材４０３〜４０５は、透光性を有する合成樹脂により成形されている。また、レンズ部材４０３〜４０５は、それぞれ異なる色（例えば、赤、白、緑）をした有色透明の部材となっている。
レンズ部材４０３〜４０５は、図１１および図１２に示すように、板状の上板４１０と前板４１１とを備えており、この上板４１０と前板４１１とがそれぞれ上側、前側に位置するように接続されることで断面略Ｌ字状になっている。また、レンズ部材４０３〜４０５は、前板４１１の左右両端部から後方に突出する係止爪４１２を備えている。また、レンズ部材４０３〜４０５は、板状の係止片を２つ（第一係止片４１３および第二係止片４１４）備えており、それぞれ前板４１１の背面の下端部または上板４１０の後端面から後方に突出するように設けられている。
【００６９】
ベース部材４０１は、レンズ部材４０３〜４０５がそれぞれ取り付けられるレンズ部材取付部４２０を３つ備えている。また、レンズ部材取付部４２０は、レンズ部材４０３〜４０５の第一係止片４１３が係止される第一係止部４２１と、第二係止片４１４が係止される第二係止部４２２とを備えている。
【００７０】
第一係止部４２１は、レンズ部材取付部４２０の下部の前端部に設けられている。また、第一係止部４２１は、前方が開口した左右に長い溝４２５を有しており、この溝４２５に第一係止片４１３が挿入されるようになっている。また、第一係止部４２１は、溝４２５の上面を構成する壁部４２６を備えている。また、壁部４２６は、溝４２５の底部側から前方に突出して設けられている。また、壁部４２６の突出方向先端部には、その上面側に、壁部４２６の延在方向に沿って凹部４２８（段部）が形成されている。換言すると、壁部４２６は、その突出方向先端部の上面側が左右方向に断面略矩形状に切り欠かれた状態となっている。
なお、凹部４２８は、壁部４２６の突出方向先端部の下面側に形成されていてもよく、上面側と下面側との両方に形成されていてもよい。
【００７１】
また、第二係止部４２２は、レンズ部材取付部４２０の上部の後端部の一部を、上方に向けて長方形状に切り欠いて形成されている。そして、第二係止部４２２に、第二係止片４１４が挿入されるようになっている。
【００７２】
レンズ部材４０３〜４０５はそれぞれ、レンズ部材取付部４２０の側面の後端部に係止爪４１２が係止されることにより、ベース部材４０１に取り付けられ、前方への逸脱が防止されている。また、レンズ部材４０３〜４０５はそれぞれ、第一係止部４２１に第一係止片４１３が挿入されることで、レンズ部材４０３〜４０５の前側部分の上下左右への動きが規制されている。また、レンズ部材４０３〜４０５はそれぞれ、第二係止部４２２に第二係止片４１４が挿入されることで、レンズ部材４０３〜４０５の後側部分の上および左右への動きが規制されている。
【００７３】
また、レンズ部材４０３〜４０５の前板４１１の背面には、ベース部材４０１の第一係止部４２１の壁部４２６の突出方向先端部（前端面）が当接している。また、凹部４２８は、レンズ部材４０３〜４０５に当接していない。
【００７４】
次に意匠ユニット４００の左辺部および右辺部であって、表示窓３１の左右両側の部分について説明する。当該部分は、図１および図１３に示すように、その立体的形状によって遊技機の外観を装飾する装飾部４３０，４３０となっている。また、装飾部４３０は、装飾部４３０の前面を構成する前板４３１と、装飾部４３０の内側の面を構成する内側壁部４３２と、装飾部４３０の外側の面を構成する外側壁部４３３とを備えている。また、内側壁部４３２は、前板４３１と一体的に形成されている。具体的には、内側壁部４３２は、板面を前後方向に向けた前板４３１の左端部から後方に向けて緩やかに曲がる曲面状に成形されている。
なお、装飾部４３０は、透光性を有しない合成樹脂により成形されているが、透光性を有しておりＬＥＤ等の光源によって光るレンズ部材となっていてもよい。
【００７５】
また、装飾部４３０の内側（右側の装飾部４３０の内側壁部４３２の左側および左側の装飾部４３０の内側壁部４３２の右側）は、開口（第三開口４４０）となっている。また、第三開口４４０からは、装飾部４３０の裏側（後側）にある表示窓３１および前記回転リールが露出しており、遊技者から見えるようになっている。また、表示窓３１は、第三開口４４０を内側から（後側から）塞ぐようにして設けられている。
【００７６】
また、内側壁部４３２の後端部、すなわち突出方向先端部の第三開口４４０側には、内側壁部４３２の延在方向に沿って凹部４３５（段部）が形成されている。換言すると、内側壁部４３２は、その突出方向先端部の第三開口４４０側が、上下方向に断面略矩形状に切り欠かれた形状となっている。
なお、凹部４３５は、内側壁部４３２の突出方向先端部の第三開口４４０と離れた側に形成されていてもよく、第三開口４４０側と第三開口４４０から離れた側との両方に形成されていてもよい。
【００７７】
また、内側壁部４３２の突出方向先端部は、表示窓３１の前面に当接している。また、凹部４３５は、表示窓３１に当接していない。
【００７８】
このような構成によれば、液晶モジュール１０１（第二の部材）は、液晶ケース１０２（第一の部材）の側壁部１２３（壁部）の突出方向先端部に当接しており、当該側壁部１２３の突出方向先端部には、側壁部１２３の延在方向に沿って凹部１２６が形成されているので、液晶ケース１０２の側壁部１２３と液晶モジュール１０１とが擦れることにより粉状物が発生した場合であっても、この粉状物が凹部１２６に収容され、粉状物が散乱するのを抑制できる。特に、当該部分においては、側壁部１２３と液晶モジュール１０１とが当接する部分の周辺には、管理コード１１８およびこの管理コード１１８を液晶モジュール１０１の裏側に露出させる第一開口１２２があるため、従来の構成のように凹部が無い場合、粉状物が管理コード１１８の上に散らばってしまい管理コード１１８の視認や読み取りが困難となるおそれがあるが、本構成によれば、粉状物の散乱が抑制され、このような不具合を防止できる。
【００７９】
また、保護シート７０（第二の部材）は、キャビネットベース８０（第一の部材）の第二開口壁部８２（壁部）の突出方向先端部に当接しており、第二開口壁部８２の突出方向先端部には、第二開口壁部８２の延在方向に沿って凹部８３が形成されているので、第二開口壁部８２と保護シート７０とが擦れることにより粉状物が発生した場合であっても、この粉状物が凹部８３に収容され、粉状物が散乱するのを抑制できる。当該部分においては、第二開口壁部８２は、第二開口８１に隣接しており、遊技者は、第二開口８１から露出した画像表示装置１００の表示面１１２を、保護シート７０を介して見るので、従来の構成のように凹部が無い場合、粉状物が第二開口８１側に散らばり保護シート７０上に付着してしまうことにより、見栄えが悪くなってしまったり、表示面１１２の一部が見えなくなってしまったりするおそれがある。しかし、本構成によれば、粉状物の散乱が抑制され、このような不具合を防止できる。なお、本実施の形態においては、保護シート７０は、全体が透光性を有するが、例えば第二開口壁部８２に当接する部分など、その一部が透光性を有しないものとなっていてもよい。
【００８０】
また、可動部材１５２においては、照明基板２００（第二の部材）は、前ケース２０１（第一の部材）の外側壁部２３２（壁部）ならびに後ケース２０２（第一の部材）の内側壁部２５１（壁部）および外側壁部２５２（壁部）の突出方向先端部に当接しており、外側壁部２３２、内側壁部２５１および外側壁部２５２には、それぞれの突出方向先端部の内側面側に沿って凹部２４０，２６０、２６１が形成されているので、照明基板２００と、外側壁部２３２、内側壁部２５１または外側壁部２５２とが擦れることにより粉状物が発生した場合であっても、この粉状物が凹部２４０，２６０、２６１に収容され、粉状物が予期せぬ部分に散乱するのを抑制できる。特に、当該部分においては、壁部が当接している部材が照明基板２００（電子部品）であるため、粉状物が散乱することで、当該粉状物によって照明基板２００上の一部がショートしてしまい、照明基板２００が壊れてしまうおそれがある。特に、前ケース２０１や後ケース２０２が導電性を有する部分（金属等の部分）を含んでおり、この部分が削れた場合や、照明基板２００の導電性を有する部分が削れた場合には、粉状物が導電性を有するので、照明基板２００がショートしてしまう可能性が高くなってしまう。また、可動部材１５２は、駆動機構１５１からの力によって動くが、駆動機構１５１の備えるモータやギア等の間、あるいは可動部材１５２を動かすレール上などに粉状物が入り込んでしまうと、可動部材１５２の動きが悪くなってしまうおそれもある。しかし、本構成によれば、粉状物の散乱を抑制できるので、これらの不具合を防止することができる。
また、前ケース２０１は透光性を有し、さらにＬＥＤ２１１からの光によって光るので、粉状物が散らばってしまうと、遊技機の見栄えが悪くなってしまうおそれがあるが、本構成によれば、見栄えが悪くなるのを防ぐことができる。
【００８１】
また、照明装置３３ａのレンズ部材４０３〜４０５（第二の部材）は、ベース部材４０１（第一の部材）の壁部４２６に当接しており、壁部４２６の突出方向先端部には凹部４２８が形成されているので、ベース部材４０１の壁部４２６とレンズ部材４０３〜４０５とが擦れることにより粉状物が発生した場合であっても、この粉状物が凹部４２８に収容され、粉状物が予期せぬ部分に散乱するのを抑制できる。特に、当該部分においては、レンズ部材４０３〜４０５が透光性を有し、さらにＬＥＤ４０９からの光によって光るので、粉状物が散らばってしまうと、遊技機の見栄えが悪くなってしまうおそれがあるが、本構成によれば、見栄えが悪くなるのを防ぐことができる。
【００８２】
また、表示窓３１（第二の部材）は、装飾部４３０（第一の部材）の内側壁部４３２（壁部）の突出方向先端部に当接しており、内側壁部４３２の突出方向先端部には凹部４３５が形成されているので、装飾部４３０の内側壁部４３２と表示窓３１とが擦れることにより粉状物が発生した場合であっても、この粉状物が凹部４３５に収容され、粉状物が予期せぬ部分に散乱するのを抑制できる。特に、当該部分においては、内側壁部４３２は第三開口４４０に隣接しており、遊技者は、第三開口４４０から露出した回転リールを、表示窓３１を介して見るので、従来の構成のように凹部が無い場合、粉状物が第三開口４４０側に散らばり表示窓３１上に付着してしまうことにより、見栄えが悪くなってしまったり、回転リールの一部が見えにくくなってしまったりするおそれがある。しかし、本構成によれば、粉状物の散乱が抑制され、このような不具合を防止することができる。また、内側壁部４３２の突出方向先端部と、表示窓３１とが当接していることにより、当該部分に隙間ができて、遊技機の見栄えが悪くなることや、当該隙間から不正行為に使用される異物が入れられることを（すなわち当該隙間からの不正行為を）防ぐことができる。
【００８３】
なお、本実施の形態においては、凹部８３，１２６，２４０，２６０，２６１，４２８，４３５は、例えば第一開口１２２、第二開口８１、第三開口４４０側等の、粉状物の散乱を特に防ぎたい側に設けられているが、必ずしもこのようになっていなくてもよい。すなわち、上述のように、例えば第一開口１２２や第二開口８１や第三開口４４０と離れた側に設けられていてもよい。このような構成によっても、例えば側壁部１２３、第二開口壁部８２または内側壁部４３２と、液晶モジュール１０１、保護シート７０または表示窓３１とが擦れることにより発生する粉状物の一部を凹部に集めることができるので、第一開口１２２、第二開口８１または第三開口４４０等の側に散乱する粉状物を少なくすることができる。ただし、粉状物の散乱を特に防ぎたい側に凹部を設けた場合の方が、粉状物の発生する場所を粉状物の散乱を防ぎたい部分から遠ざけることができるので好ましい。すなわち、凹部８３，１２６，２４０，２６０，２６１，４２８，４３５は、粉状物を収容する効果があるとともに、壁部の突出方向先端部と、当該突出方向先端部が当接する部材（第二の部材）とが当接する部分を、粉状物の散乱を防ぎたい部分から遠ざける効果がある。
【００８４】
また、凹部８３，１２６，２４０，２６０，２６１，４２８，４３５は、断面矩形状となっているが、その他の形状であってもよい。例えば、断面形状がその他の多角形状（星形の一部を切り取ったような形状を含む）や、半円状等となっていてもよい。
【００８５】
また、本実施の形態においては、凹部８３，１２６，２４０，２６０，２６１，４２８，４３５は、壁部の突出方向先端部の一方の側を切り欠いた形状となっているが、壁部の突出方向先端部に壁部の延在方向に沿って形成された溝状（例えば、断面コ字状や半円状等の溝状であって、壁部の幅方向中央部に形成された溝状等）となっていてもよい。
【符号の説明】
【００８６】
３１  表示窓（第二の部材）
７０  保護シート（第二の部材）
８０  キャビネットベース（第一の部材）
８１  第二開口（開口）
８２  第二開口壁部（壁部）
８３  凹部
１０１  液晶モジュール（第二の部材）
１０２  液晶ケース（第一の部材）
１２２  第一開口（開口）
１２３  側壁部（壁部）
１２６  凹部
２００  照明基板（第二の部材）
２０１  前ケース（第一の部材）
２０２  後ケース（第一の部材）
２１５  円弧状切欠部
２３２  外側壁部（壁部）
２４０  凹部
２５１  内側壁部（壁部）
２５２  外側壁部（壁部）
２６０  凹部
２６１  凹部
４０１  ベース部材（第一の部材）
４０３，４０４，４０５  レンズ部材（第二の部材）
４２６  壁部
４２８  凹部
４３０  装飾部（第一の部材）
４３２  内側壁部（壁部）
４３５  凹部
４４０  第三開口（開口）
【図１】
2019097903.tif 000003
【図２】
2019097903.tif 000004
【図３】
2019097903.tif 000005
【図４】
2019097903.tif 000006
【図５】
2019097903.tif 000007
【図６】
2019097903.tif 000008
【図７】
2019097903.tif 000009
【図８】
2019097903.tif 000010
【図９】
2019097903.tif 000011
【図１０】
2019097903.tif 000012
【図１１】
2019097903.tif 000013
【図１２】
2019097903.tif 000014
【図１３】
2019097903.tif 000015